(57)【要約】【課題】灰皿を灰皿の機能として使用しないことができるようにして、再販価格の低下や余計な灰皿の清掃作業が発生するのを防止することができる低コストな遊技機の灰皿装置および灰皿装置を備えた遊技機を提供する。【解決手段】遊技機の灰皿装置４４であって、前記灰皿装置４４は、灰皿本体４５と、前記灰皿本体４５の上面を閉塞するように前記灰皿本体４５を収納する収納部４７とを備えたことを特徴とする。また、前記収納部４７の入口にスライドシャッター４９を設ける。また、前記灰皿本体４５を前記灰皿装置４４から離脱可能に設ける。【選択図】　　　　　図１
2004033079.tif 000002
【特許請求の範囲】
【請求項１】
遊技機の灰皿装置であって、前記灰皿装置は、灰皿本体と、前記灰皿本体の上面を閉塞するように前記灰皿本体を収納する収納部とを備えたことを特徴とする遊技機の灰皿装置。
【請求項２】
前記収納部の入口に蓋を設けたことを特徴とする請求項１記載の遊技機の灰皿装置。
【請求項３】
前記灰皿本体を前記灰皿装置から離脱可能に設けたことを特徴とする請求項１または２記載の遊技機の灰皿装置。
【請求項４】
前記灰皿装置から離脱可能に設けた物品収容具を備え、前記物品収容具または前記灰皿本体を選択的に前記灰皿装置に設けるようにしたことを特徴とする請求項３記載の遊技機の灰皿装置。
【請求項５】
灰皿装置を備えた遊技機であって、前記灰皿装置は、灰皿本体と、前記灰皿本体の上面を閉塞するように前記灰皿本体を収納する収納部とを備えたことを特徴とする灰皿装置を備えた遊技機。
【発明の詳細な説明】
【０００１】
【発明の属する技術分野】
本発明は、遊技機の灰皿装置および灰皿装置を備えた遊技機に関し、より詳しくは、灰皿の使用および未使用を選択することができる遊技機の灰皿装置および灰皿装置を備えた遊技機に関する。
【０００２】
【従来の技術】
パチンコ遊技機や回動遊技機（所謂、パチスロ機）等の遊技機にあっては、遊技中に喫煙者が使用するための灰皿が遊技機本体に備え付けられている。ところで、ホールによっては遊技機本体に備え付けられた灰皿の使用を禁じているところもあり、このようなホールでは、遊技機本体とは別体の一般の灰皿を用意し、この灰皿を遊技者に使用してもらうようになっている。
【０００３】
このような一般の灰皿を用いる理由としては、灰皿の掃除の簡素化を図ることや、備え付けの灰皿が使用されていた遊技機を一定期間使用した後に再販売する際に、灰皿が損傷、汚れている分だけ、灰皿が使用されていない遊技機に対して価格が低下してしまうので、価格が低下するのを防止する等の理由が挙げられる。
【０００４】
また、その他の理由として、備え付けの灰皿がネジ等によって遊技機本体に強固に固定されているため、その取付け取外しにドライバー等の治具が必要になり、容易に交換できないことや灰皿のみの部品が通常販売されていないため、灰皿部分のみを新品と交換できないことも挙げられる。
【０００５】
以下、図８〜図１０に基づいて従来の灰皿を備えた遊技機を説明する。
【０００６】
図８〜図１０において、パチスロ遊技機の本体１１には受け皿ベース１２が突出しており、この受け皿ベース１２には凹状の受け皿１３が形成されている。
【０００７】
また、本体１１には払い出し口２０が設けられており、本体１１の窓枠１４内に設けられた図示しない３つの回転リールが所定の図柄で組合されたときに、コインが払い出し口２０から受け皿１３に払い出されるようになっている。
【０００８】
また、受け皿ベース１２の側部には灰皿１５が設けられている。
【０００９】
【発明が解決しようとする課題】
しかしながら、このような従来の遊技機の灰皿装置にあっては、ホール側で灰皿を使用する必要がない場合でも、灰皿１５付きの遊技機を使用する必要があるため、一般の灰皿を使用するホールでも遊技者が誤って灰皿１５を使用してしまうおそれがあり、遊技機の再販価格が低下してしまう上に、一般の灰皿の清掃作業に加えて余計な清掃作業が発生してしまうという問題があった。
【００１０】
このような問題を解消するために、最初から灰皿のない遊技機を製造すれば良いのであるが、灰皿だけのために新たに金型を作成して遊技機を製造することになり、遊技機の製造コストが増大してしまうとともに、灰皿付きと灰皿なしの２種類の遊技機を管理することなり、管理コストや工数も増大してしまう。
【００１１】
本発明は、灰皿を使用しない場合には灰皿を収納部に収納することにより、灰皿を灰皿の機能として使用しないことができるようにして、再販価格の低下や余計な灰皿の清掃作業が発生するのを防止することができる低コストな遊技機の灰皿装置および灰皿装置を備えた遊技機を提供することを目的としている。
【００１２】
【課題を解決するための手段】
本発明の遊技機の灰皿装置は、上記課題を解決するために、遊技機の灰皿装置であって、前記灰皿装置は、灰皿本体と、前記灰皿本体の上面を閉塞するように前記灰皿本体を収納する収納部とを備えたことを特徴としている。
【００１３】
このような構成により、灰皿を使用する場合には、灰皿本体を収納部の外部に装着し、灰皿を使用しない場合には、灰皿本体を収納部に収納することにより、ホールや遊技者の要望に応じて灰皿装置を灰皿として使用したり、灰皿として使用しないことができる。このため、遊技機の再販価格の低下や余計な灰皿の清掃作業が発生するのを防止することができ、遊技機の製造コストを低減することができる。
【００１４】
また、本発明の遊技機の灰皿装置は、上記課題を解決するために、前記収納部の入口に蓋を設けたことを特徴としている。
【００１５】
このような構成により、灰皿を使用する場合には、灰皿本体を収納部の外部に装着し、灰皿を使用しない場合には、灰皿本体を収納部に収納することにより、ホールや遊技者の要望に応じて灰皿装置を灰皿として使用したり、灰皿として使用しないことができる。このため、遊技機の再販価格の低下や余計な灰皿の清掃作業が発生するのを防止することができ、遊技機の製造コストを低減することができる。
【００１６】
また、本発明の遊技機の灰皿装置は、上記課題を解決するために、前記灰皿本体を前記灰皿装置から離脱可能に設けたことを特徴としている。
【００１７】
このような構成により、灰皿を使用する場合には、灰皿本体を収納部の外部に装着し、灰皿を使用しない場合には、灰皿本体を収納部に収納することにより、ホールや遊技者の要望に応じて灰皿装置を灰皿として使用したり、灰皿として使用しないことができる。このため、遊技機の再販価格の低下や余計な灰皿の清掃作業が発生するのを防止することができ、遊技機の製造コストを低減することができる。
【００１８】
また、本発明の遊技機の灰皿装置は、上記課題を解決するために、前記灰皿装置から離脱可能に設けた物品収容具を備え、前記物品収容具または前記灰皿本体を選択的に前記灰皿装置に設けるようにしたことを特徴としている。
【００１９】
このような構成により、灰皿を使用しない場合には、灰皿装置に物品収容具を取り付けることで、飲料容器や携帯電話等の物品を物品収容具に収容することができるので、遊戯者やホール側の利便性を向上することができる。
【００２０】
また、本発明の灰皿装置を備えた遊技機は、上記課題を解決するために、灰皿装置を備えた遊技機であって、前記灰皿装置は、灰皿本体と、前記灰皿本体の上面を閉塞するように前記灰皿本体を収納する収納部とを備えたことを特徴としている。
【００２１】
このような構成により、灰皿を使用する場合には、灰皿本体を収納部の外部に装着し、灰皿を使用しない場合には、灰皿本体を収納部に収納することにより、ホールや遊技者の要望に応じて灰皿装置を灰皿として使用したり、灰皿として使用しないことができる。このため、遊技機の再販価格の低下や余計な灰皿の清掃作業が発生するのを防止することができ、遊技機の製造コストを低減することができる。
【００２２】
【発明の実施の形態】
以下、本発明の好ましい実施形態を図面に基づいて説明する。
【００２３】
図１〜図３は本発明に係る遊技機の第１の実施形態を示す図であり、遊技機としてパチスロ遊技機を例にしている。
【００２４】
図１〜図３において、パチスロ遊技機の本体４１には受け皿ベース４２が設けられており、この受け皿ベース４２にはパチスロ遊技機の本体４１に設けられた払い出し口５３から遊技媒体としてコインが払い出されるようになっている。この受け皿ベース４２の側部の外側にはガイドレール４８および灰皿装置４４が設けられている。
【００２５】
灰皿装置４４は灰皿本体４５とこの灰皿本体４５を収納可能な大きさを有する凹形状の収納部４７とから構成されている。
【００２６】
また、ガイドレール４８の延長線上の収納部４７内壁にも図３に示すように、ガイドレール４８ａが設けられており、灰皿本体４５がガイドレール４８、４８ａに案内されて受け皿ベース４２の側部および収納部４７の内部に着脱されるようになっている。
【００２７】
具体的には、灰皿４５の側部にはガイドレール４８、４９ａに対応しノッチ（切込み）を有するガイド溝４６が設けられており、このガイド溝４６がガイドレール４８、４９ａに係合することにより、灰皿本体４５が受け皿ベース４２の側部および収納部４７の内部に取り付けられるようになっている。ガイド溝４６のノッチはガイドレール４８、４９ａと係合する際に灰皿４５が振動等によって移動してしまわないようにするためのものである。
【００２８】
また、収納部４７の入口にはスライドシャッター４９が設けられており、スライドシャッター４９は図３における矢印Ｂで示す方向に引き出して収納部４７の入口を閉じることができるようになっている。
【００２９】
また、図２に示すように灰皿４５を受け皿ベース４２から取り外したり、図３および、図６に示すように灰皿４５を収納部４７の内部に収納すると、灰皿４５の大きさに対応した空間が形成されるようになっており、この空間には図７に示すように飲料容器等１００の物品を載置できる。
【００３０】
なお、灰皿４５の代わりにガイドレール４８と係合するガイド溝を備えた収納具を受け皿ベース４２に取り付けるようにしてもよく、この収納具としては例えば、小物ケース、ドリンクホルダー、携帯電話ホルダー等が挙げられる。
【００３１】
なお、収納部４７の入口に設けた引き戸状のスライドシャッター４９の代わりに、図４、図５に示すような開き戸状のヒンジシャッター８９により収納部４７の入口を閉じるようにしてもよい。すなわち、図５において、図５（ａ）に示すように灰皿本体４５が収納部４７から出ている状態でヒンジシャッター８９がこのヒンジシャッター８９の支点に設けたバネ９０により収納部４７の入口を閉じた状態から、図５（ｂ）に示すように灰皿本体４５が収納部４７の内方に押されるとバネ９０の力に逆ってヒンジシャッター８９を収納部８９内側に開き、図５（ｃ）に示すように、ヒンジシャッター８９が灰皿本体４５の上面を閉塞した状態で、灰皿本体４５が収納部４７に収納される。
【００３２】
本実施形態では、灰皿本体４５を灰皿として使用する場合には、図１に示すように灰皿本体４５を収納部４７の外部に装着する。すなわち、灰皿本体４５のガイド溝４６をガイドレール４８と係合する。
【００３３】
また、灰皿本体４５を灰皿として使用しない場合には、図２に示すように灰皿本体４５を取り外したり、図３に示すようにガイド溝４６をガイドレール４８ａと係合し、灰皿本体４５を収納部４７に収納する。
【００３４】
このため、ホールや遊技者の要望に応じて灰皿装置４４を灰皿として使用したり、灰皿として使用しないことができる。このため、遊技機の再販価格の低下や余計な灰皿の清掃作業が発生するのを防止することができ、遊技機の製造コストを低減することができる。
【００３５】
また、本実施形態では収納部４７の入口にスライドシャッターを設けているので、灰皿装置４４を灰皿として使用しないときに灰皿本体４５が紛失してしまうのを防止することができる。
【００３６】
また、本実施形態では灰皿本体４５を灰皿装置４４から離脱可能に設けたので、遊技機を再販売する際には灰皿本体４５のみを新品のものに容易に取り替え得るだけでなく、ガイド溝４６を設けた小物ケース等を灰皿本体４５の代わりに灰皿装置４４に取り付け、遊技者やホール側の利便性を向上することができる。
【００３７】
【発明の効果】
本発明によれば、灰皿を使用する場合には、灰皿本体を収納部の外部に装着し、灰皿を使用しない場合には、灰皿本体を収納部に収納することにより、ホールや遊技者の要望に応じて灰皿装置を灰皿として使用したり、灰皿として使用しないことができる。このため、遊技機の再販価格の低下や余計な灰皿の清掃作業が発生するのを防止することができ、遊技機の製造コストを低減することができる。
【図面の簡単な説明】
【図１】本発明に係る遊技機の灰皿装置および灰皿装置を備えた遊技機の一実施形態を示す図であり、灰皿本体が取り付けられたパチスロ遊技機の外観図である。
【図２】一実施形態のパチスロ遊技機の外観図であり、灰皿本体を取り外した状態を示す。
【図３】一実施形態の灰皿装置および受け皿ベースの斜視図であり、灰皿本体を収納部に収納した状態を示す。
【図４】本発明に係る遊技機の灰皿装置および灰皿装置を備えた遊技機のその他の実施形態を示す図であり、収納部がヒンジ式のシャッターを備える灰皿装置を示す斜視図である。
【図５】（ａ）は灰皿本体を収納部から出した状態を示す図、（ｂ）は灰皿本体を収納部内に押し込んだ状態を示す図、（ｃ）は灰皿本体を完全に収納部に収納した状態を示す図である。
【図６】灰皿本体を収納部に収納した状態を示す斜視図である。
【図７】灰皿本体を収納部に収納して、飲料容器等の物品を載置する状態を示す図である。
【図８】従来の灰皿を備えた遊技機の外観図である。
【図９】従来の遊技機に設けられた受け皿ベースの正面図である。
【図１０】
（ａ）は図１５の受け皿ベースの上面図、（ｂ）は図１６（ａ）のＢ方向矢視図である。
【符号の説明】
４１　　本体
４２　　受け皿ベース
４４　　灰皿装置
４５　　灰皿本体
４６　　ガイド溝
４７　　収納部
４８、４８ａ　　ガイドレール
８９　　ヒンジシャッター
【図１】
2004033079.tif 000003
【図２】
2004033079.tif 000004
【図３】
2004033079.tif 000005
【図４】
2004033079.tif 000006
【図５】
2004033079.tif 000007
【図６】
2004033079.tif 000008
【図７】
2004033079.tif 000009
【図８】
2004033079.tif 000010
【図９】
2004033079.tif 000011
【図１０】
2004033079.tif 000012